(57)【要約】【課題】良好な緯糸跳ね戻り防止性能を容易に付与でき、かつ維持できる糸抜け防止装置を提供する。【解決手段】緯入れノズル１０の後端部には糸抜け防止具２１が嵌合されている。糸抜け防止具２１は、ゴム製の取り付けキャップ２２と、取り付けキャップ２２に結合されたセラミック製のパイプ２３とからなる。緯糸Ｙは、パイプ２３の筒内及び緯入れノズル１０の緯糸通路１４５に通される。【選択図】      図１
2004270080.tif 000002
【特許請求の範囲】
【請求項１】
ノズル本体内に挿入された緯糸案内用ニードルの外周面と前記ノズル本体の内周面との間に流路を形成し、前記流路への流体の供給によって前記流体を噴射口から噴射し、前記緯糸案内用ニードル内における緯糸通路に通された緯糸を流体と共に緯入れする緯入れノズルを備えたジェットルームにおいて、
緯糸を通すための補助緯糸通路を有する糸抜け防止具を前記緯入れノズルの後端に連結し、前記補助緯糸通路における通路径を前記緯糸案内用ニードル内における前記緯糸通路の最大の通路径よりも小さくしたジェットルームにおける糸抜け防止装置。
【請求項２】
前記補助緯糸通路を前記緯糸通路内に入り込ませた請求項１に記載のジェットルームにおける糸抜け防止装置。
【請求項３】
耐摩耗性材質からなるパイプの筒内を前記補助緯糸通路とした請求項１及び請求項２のいずれか１項に記載のジェットルームにおける糸抜け防止装置。
【請求項４】
前記パイプをセラミック製とした請求項３に記載のジェットルームにおける糸抜け防止装置。
【請求項５】
前記緯入れノズルの後端に連結される取り付けキャップを前記パイプに結合して前記糸抜け防止具を構成した請求項３及び請求項４のいずれか１項に記載のジェットルームにおける糸抜け防止装置。
【請求項６】
前記取り付けキャップをゴム製とした請求項５に記載のジェットルームにおける糸抜け防止装置。
【請求項７】
外周面をテーパとしたテーパ筒部を前記パイプに設けた請求項３乃至請求項６のいずれか１項に記載のジェットルームにおける糸抜け防止装置。
【発明の詳細な説明】
【０００１】
【発明の属する技術分野】
本発明は、緯入れノズルを備えたジェットルームにおける糸抜け防止装置に関するものである。
【０００２】
【従来の技術】
緯入れノズルから射出されて緯入れされた緯糸は、筬打ち直後に緯入れノズルの先端の先で切断される。このとき、織布に連なる緯糸の張力は高くなっているので、緯入れノズルに通されている緯糸が切断ショックによって跳ね戻り、緯糸が緯入れノズルから抜けてしまうおそれがある。緯入れノズルからの糸抜けは、伸度の大きい緯糸において特に生じ易い。
【０００３】
特許文献１に開示の装置では、グリッパと緯入れノズルとの間にブラシを配設し、ブラシに緯糸を擦りつけて緯糸の跳ね戻りを防止している。
特許文献２に開示の装置では、ウォータジェットルーム用の緯入れノズルの先端に一対のプレートを互いに接近して配設し、両プレート間の隙間に緯糸を通している。緯糸は、両プレート間の隙間に形成される水膜による把持力によって切断ショックによる跳ね戻りを防止される。
【０００４】
【特許文献１】
特開昭５１−１０２１５８号公報
【特許文献２】
実開平０３−８１３８８号公報
【０００５】
【発明が解決しようとする課題】
特許文献１に開示の装置では、ブラシと緯糸との接触部分に緯糸の成分が堆積する。この堆積した緯糸成分は硬化し易く、堆積した緯糸成分が硬化すると、ブラシの柔軟性が失われる。ブラシの柔軟性が失われると、ブラシにおける緯糸の通過部分が押し広げられ、緯糸の跳ね戻りに対するブラシの抵抗が徐々に失われてゆく。つまり、ブラシによる初期の緯糸跳ね戻り防止性能を維持することが困難である。ブラシから堆積した緯糸成分を除去すれば、ブラシによる初期の緯糸跳ね戻り防止性能を維持することもできるが、この除去作業は面倒である。
【０００６】
特許文献２に開示の装置では、水膜による把持力が大き過ぎると、円滑な緯入れが阻害され、水膜による把持力が小さすぎると、十分な緯糸跳ね戻り防止性能が得られない。つまり、両プレート間の隙間の調整や、プレートの大きさの調整が難しく、しかも、緯糸種類が変更されると、このような調整を行わなければならないという煩わしさがある。
【０００７】
本発明は、良好な緯糸跳ね戻り防止性能を容易に付与でき、かつ維持できる糸抜け防止装置を提供することを目的とする。
【０００８】
【課題を解決するための手段】
そのために本発明は、ノズル本体内に挿入された緯糸案内用ニードルの外周面と前記ノズル本体の内周面との間に流路を形成し、前記流路への流体の供給によって前記流体を噴射口から噴射し、前記緯糸案内用ニードル内の緯糸通路に通された緯糸を流体と共に緯入れする緯入れノズルを備えたジェットルームを対象とし、請求項１の発明では、緯糸を通すための補助緯糸通路を有する糸抜け防止具を前記緯入れノズルの後端に連結し、前記補助緯糸通路における通路径を前記緯糸案内用ニードル内における前記緯糸通路の最大の通路径よりも小さくした。
【０００９】
このような補助緯糸通路は、切断ショックによって跳ね戻ろうとする緯糸に対して抵抗を与え、緯糸跳ね戻りを防止する。補助緯糸通路は、良好な緯糸跳ね戻り防止性能を得る上で簡便であり、良好な緯糸跳ね戻り防止性能の維持も容易である。
【００１０】
請求項２の発明では、請求項１において、前記補助緯糸通路を前記緯糸通路内に入り込ませた。
補助緯糸通路が緯入れノズルの先端に近いほど、糸抜け防止具の緯糸跳ね戻り防止性能は高くなる。補助緯糸通路を緯糸通路内に入り込ませた構成は、補助緯糸通路を緯入れノズルの先端に近づけるのに有効である。
【００１１】
請求項３の発明では、請求項１及び請求項２のいずれか１項において、耐摩耗性材質からなるパイプの筒内を前記補助緯糸通路とした。
耐摩耗性材質製のパイプは、緯糸を通すための補助緯糸通路の形成部材として好適である。
【００１２】
請求項４の発明では、請求項３において、前記パイプをセラミック製とした。
セラミックは、緯糸と擦れ合うパイプの材質として好適である。
請求項５の発明では、請求項３及び請求項４のいずれか１項において、前記緯入れノズルの後端に連結される取り付けキャップを前記パイプに結合して前記糸抜け防止具を構成した。
【００１３】
緯入れノズルの後端に連結される取り付けキャップは、パイプを所定位置に保持するための手段として好適である。
請求項６の発明では、請求項５において、前記取り付けキャップをゴム製とした。
【００１４】
ゴムは、取り付けキャップの材質として好適である。
請求項７の発明では、請求項３乃至請求項６のいずれか１項において、外周面をテーパとしたテーパ筒部を前記パイプに設けた。
【００１５】
パイプが動くと、緯入れ時の緯糸がパイプの動きによって緯入れ抵抗を与えられるおそれがある。緯糸通路にテーパ形状部分を設け、テーパ筒部と緯糸通路のテーパ形状部分とを嵌合すれば、パイプが動くことはない。
【００１６】
【発明の実施の形態】
以下、本発明を具体化した第１の実施の形態を図１及び図２に基づいて説明する。
【００１７】
図１は、ウォータジェットルーム用の緯入れノズル１０を示す。ホルダ１１の支持孔１１１には筒形状のノズル本体１２が嵌入されている。ノズル本体１２の先端側（図１において右側）の外周面にはキャップ１３が螺着されている。ホルダ１１は、ノズル本体１２の後端側（図１において左側）に形成したフランジ部１２１とキャップ１３との間でキャップ１３の締め付けにより挟みこまれてノズル本体１２に止着されている。ノズル本体１２の周囲の支持孔１１１は、ホルダ１１内の給水通路１１２に連なっており、ノズル本体１２の外周面と支持孔１１１との間の環状室１６は、給水通路１１２に連通している。
【００１８】
ノズル本体１２の筒内には緯糸案内用ニードル１４が嵌入されている。緯糸案内用ニードル１４の後端部にはキャップ１５が圧入固定されている。緯糸案内用ニードル１４の一部となるキャップ１５は、フランジ部１２１の内周に螺着されており、緯糸案内用ニードル１４の大径部１４１は、ノズル本体１２の内周面１２２に嵌合している。緯糸案内用ニードル１４の小径部１４２の外周面１４６とノズル本体１２の内周面１２２との間の環状の水路１８は、流入口１２３を介して環状室１６に連通する流路である。流入口１２３は、緯糸案内用ニードル１４の小径部１４２の周囲でノズル本体１２に等間隔で配列形成されている。大径部１４１の内周面１４３は、ノズル本体１２の後端側から前端側に向かうにつれて縮径してゆくテーパとなっている。小径部１４２の内周面１４４は、ストレート周面となっている。内周面１４３，１４４は、緯糸案内用ニードル１４内における緯糸通路１４５を形成する。
【００１９】
ノズル本体１２の先端部の筒内には筒形状の噴射口形成体１７が圧入固定されている。ノズル本体１２の一部となる噴射口形成体１７の内周面にはテーパ孔１７１が形成されている。テーパ孔１７１は、噴射口形成体１７の後端から先端に向かうにつれて縮径する形状であり、テーパ孔１７１の範囲は、噴射口形成体１７の後端から噴射口形成体１７の後端と先端との中間の段差１７２までである。
【００２０】
緯糸案内用ニードル１４の先端側の小径部１４２は、テーパ孔１７１の内側を通って段差１７２まで到達するように噴射口形成体１７に挿通されている。テーパ孔１７１の内周面と小径部１４２の外周面１４６との間は絞り流路１７３となる。絞り流路１７３の先端は、噴射口２０となっている。
【００２１】
環状の水路１８内には整流具１９が配設されている。整流具１９は、ノズル本体１２の筒内に圧入されるリング部１９１と、リング部１９１の内周に環状に等間隔に配設された複数の整流子１９２とからなる。
【００２２】
キャップ１５の後端部は、フランジ部１２１から後方へ突出している。キャップ１５の後端部には糸抜け防止具２１が嵌合されている。糸抜け防止具２１は、ゴム製の取り付けキャップ２２と、取り付けキャップ２２に結合されたセラミック製のパイプ２３とからなる。取り付けキャップ２２は、円柱形状をしている。円柱形状の取り付けキャップ２２の一端面には円周形状の嵌合孔２２１が形成されており、取り付けキャップ２２の他端面には円錐形状の導入孔２２２が形成されている。嵌合孔２２１は、図２（ａ）にも示されており、導入孔２２２は、図２（ｂ）にも示されている。取り付けキャップ２２の軸中心には結合孔２２３が貫き形成されている。結合孔２２３は、円錐形状の導入孔２２２の底部と、円周形状の嵌合孔２２１の底部とに連なっている。パイプ２３は、結合孔２２３に嵌入して結合されている。取り付けキャップ２２とパイプ２３とは、接着剤によって接着して固定されている。
【００２３】
取り付けキャップ２２の嵌合孔２２１にはキャップ１５の後端部が嵌合される。糸抜け防止具２１を緯入れノズル１０の後端（即ち、キャップ１５の後端部）に嵌合して連結した状態では、パイプ２３が緯糸案内用ニードル１４内の緯糸通路１４５に入り込んでいる。そして、パイプ２３の前端が緯糸案内用ニードル１４の大径部１４１の内周面１４３に接している。緯糸Ｙは、パイプ２３の筒内及び緯糸案内用ニードル１４内の緯糸通路１４５を通される。パイプ２３の筒内は、緯糸通路１４５に連なる補助緯糸通路２３１となる。補助緯糸通路２３１における通路径Ｑ（図１に図示）は、緯糸案内用ニードル１４内における緯糸通路１４５における最小の通路径Ｒ（図１に図示）よりも小さく、緯糸Ｙの糸径よりも大きくしてある。
【００２４】
図示しないポンプから供給された流体としての圧力水は、給水通路１１２、環状室１６及び流入口１２３を経由して水路１８に流入する。水路１８に流入した圧力水は、複数の整流子１９２間及び絞り流路１７３を通過して噴射口２０から噴射される。糸抜け防止具２１のパイプ２３内及び緯糸案内用ニードル１４内に通されている緯糸Ｙは、噴射口２０からの水噴射によって経糸開口内へ緯入れされる。
【００２５】
第１の実施の形態では以下の効果が得られる。
（１−１）経糸開口内へ緯入れされた緯糸Ｙは、筬打ちされた直後に緯入れノズル１０の先端の先で緯糸切断装置（図示略）によって切断される。緯入れノズル１０に通されている緯糸は、切断ショックによって跳ね戻ろうとする。パイプ２３内の補助緯糸通路２３１は、切断ショックによって跳ね戻ろうとする緯糸Ｙに対して抵抗を与える。つまり、振動して跳ね戻ろうとする緯糸Ｙが補助緯糸通路２３１の周壁に接触するので、跳ね戻ろうとする緯糸Ｙの振動が補助緯糸通路２３１内で抵抗となる。その結果、補助緯糸通路２３１が緯糸跳ね戻りを防止し、緯入れノズル１０からの緯糸Ｙの抜けが防止される。又、補助緯糸通路２３１の通路径Ｑが緯糸Ｙの糸径よりも大きくしてあるため、補助緯糸通路２３１の存在が緯糸Ｙの緯入れを阻害するような大きな緯入れ抵抗とはならない。
【００２６】
補助緯糸通路２３１の通路径Ｑが小さいほど、緯糸跳ね戻りを防止する性能は高くなる。補助緯糸通路２３１の形成は容易であるので、補助緯糸通路２３１は、良好な緯糸跳ね戻り防止性能を得る上で簡便である。又、パイプ２３内に緯糸Ｙの成分が堆積したとしても、この堆積した緯糸成分を取り除く作業は容易である。つまり、糸抜け防止具２１を用いれば、良好な緯糸跳ね戻り防止性能の維持も容易である。
【００２７】
（１−２）補助緯糸通路２３１が緯入れノズル１０の先端（即ち、図１においてノズル本体１２の右端）に近いほど、糸抜け防止具２１の緯糸跳ね戻り防止性能は高くなる。補助緯糸通路２３１を緯糸通路１４５内に入り込ませた構成は、補助緯糸通路２３１を緯入れノズル１０の先端に近づけるのに有効である。
【００２８】
（１−３）緯入れされる緯糸Ｙは、パイプ２３の筒内面と摺接する。そのため、パイプ２３の材質としては耐摩耗性に優れた耐磨耗性材質が望ましい。つまり、耐摩耗性材質製のパイプ２３は、補助緯糸通路２３１の形成部材として好適である。特にセラミックは、耐摩耗性に優れ、しかも、孔開け加工を必要としない焼結方式でパイプ２３を形成できるので、セラミックは、小さな通路径Ｑを有するパイプ２３の材質として特に好適である。
【００２９】
（１−４）緯入れノズル１０の後端（即ち、キャップ１５の後端部）に取り付けキャップ２２を連結すれば、パイプ２３は、緯糸通路１４５内に挿入された所定位置に保持される。緯入れノズル１０の後端に連結される取り付けキャップ２２は、パイプ２３を緯糸通路１４５内に挿入した所定位置に保持するための手段として好適である。
【００３０】
（１−５）糸抜け防止具２１は、不動配置されるウォータジェットルーム用の緯入れノズル１０に取り付けキャップ２２を嵌合して取り付けられる。緯入れノズル１０は、エアジェットルーム用の緯入れノズルとは異なって、筬打ちに合わせて揺動されないので、緯入れノズル１０と糸抜け防止具２１との連結は、それほど強固でなくてもよい。そのため、糸抜け防止具２１は、単純な嵌合によって緯入れノズル１０に連結すればよい。このような嵌合連結をもたらす取り付けキャップ２２の材質としては、弾性変形に優れたゴムが好適である。つまり、取り付けキャップ２２の嵌合孔２２１の孔径をキャップ１５の後端部の外径よりも少し小さくしておけば、キャップ１５の後端部と取り付けキャップ２２とを容易に嵌合することができる。しかも、取り付けキャップ２２の弾性力がキャップ１５の後端部と取り付けキャップ２２との嵌合連結を確実なものとし、緯入れノズル１０からの糸抜け防止具２１の脱落が生じるおそれはない。
【００３１】
（１−６）パイプ２３が動くと、緯入れ時の緯糸Ｙがパイプ２３の動きによって緯入れ抵抗を与えられるおそれがある。パイプ２３は、パイプ２３の前端が緯糸案内用ニードル１４のテーパ形状の内周面１４３に接触するように緯糸通路１４５に挿入されているので、パイプ２３が動くことはない。
【００３２】
又、パイプ２３の前端をテーパ形状の内周面１４３に接触させた構成は、補助緯糸通路２３１を緯入れノズル１０の先端に可及的に近づけるのに有効である。（１−７）取り付けキャップ２２における導入孔２２２は、パイプ２３に緯糸Ｙを通す際の糸通し作業を容易にする。
【００３３】
次に、図３の第２の実施の形態を説明する。第１の実施の形態と同じ構成部には同じ符号が付してある。
第２の実施の形態における糸抜け防止具２１Ａでは、第１の実施の形態における導入孔２２２のない取り付けキャップ２２Ａが用いられている。この実施の形態においても、第１の実施の形態における（１−１）〜（１−６）項と同じ効果が得られる。
【００３４】
次に、図４の第３の実施の形態を説明する。第２の実施の形態と同じ構成部には同じ符号が付してある。
第３の実施の形態における糸抜け防止具２１Ｂでは、パイプ２３の前端が緯糸通路１４５内に入り込んでいるが、パイプ２３の前端は、緯糸案内用ニードル１４のテーパ形状の内周面１４３には接触していない。しかし、第３の実施の形態においても、糸抜け防止効果は得られる。又、第１の実施の形態における（１−２）〜（１−５）項と同じ効果が得られる。
【００３５】
次に、図５の第４の実施の形態を説明する。第１の実施の形態と同じ構成部には同じ符号が付してある。
第４の実施の形態における糸抜け防止具２１Ｃでは、パイプ２３Ｃの後端部が大径部２３２にしてあり、取り付けキャップ２２が大径部２３２を介してパイプ２３Ｃに結合されている。複数のパイプ２３Ｃの内径を異ならせ、これら複数のパイプ２３Ｃの大径部２３２の外径を同一としておけば、取り付けキャップ２２の結合孔２２３の孔径をパイプ２３Ｃの内径の違いに応じて変更する必要がない。つまり、取り付けキャップ２２としては同形同大の一種類のものを製作すればよい。
【００３６】
次に、図６の第５の実施の形態を説明する。第４の実施の形態と同じ構成部には同じ符号が付してある。
第５の実施の形態における糸抜け防止具２１Ｄのパイプ２３Ｄは、外周面をテーパとしたテーパ筒部２３３と大径部２３２とからなる。取り付けキャップ２２は、大径部２３２を介してパイプ２３Ｄに結合されている。テーパ筒部２３３の外周面のテーパは、内周面１４３のテーパ形状と略同じ形状となっている。つまり、テーパ筒部２３３は、テーパ筒部２３３のテーパ形状の外周面が内周面１４３に接するように、緯糸通路１４５に嵌合されている。
【００３７】
第５の実施の形態では、第４の実施の形態と同様の効果が得られる。パイプ２３Ｄが動くと、緯入れ時の緯糸Ｙがパイプ２３Ｄの動きによって緯入れ抵抗を与えられるおそれがあるが、第５の実施の形態では、テーパ筒部２３３と緯糸通路１４５のテーパ形状部分とが嵌合されるので、パイプ２３Ｄが動くことはない。
【００３８】
本発明では以下のような実施の形態も可能である。
（１）パイプ２３，２３Ｃの内径は、緯糸通路１４５の最大の内径よりも小さい範囲で、緯糸通路１４５の最小の内径以上の大きさとしてもよい。
【００３９】
（２）パイプの材質として、セラミック以外の耐磨耗性材質を用いてもよい。
（３）取り付けキャップの材質として、合成樹脂、金属を用いてもよい。
（４）取り付けキャップとパイプとを一体形成してもよい。この場合の糸抜け防止具の材質は、緯糸と接触するパイプに適した材質となる。
【００４０】
（５）第５の実施の形態において、取り付けキャップ２２を省略してもよい。
（６）エアジェットルーム用の緯入れノズルに本発明を適用すること。
前記した実施の形態から把握できる技術的思想について以下に記載する。
【００４１】
〔１〕請求項１乃至請求項７のいずれか１項において、前記緯糸通路は、緯入れノズルの後端側から前端側に向かうにつれて縮径となるテーパを有し、前記補助緯糸通路における通路径の大きさを前記緯糸案内用ニードル内の緯糸通路における最小の通路径以下としたジェットルームにおける糸抜け防止装置。
【００４２】
【発明の効果】
以上詳述したように本発明の糸抜け防止装置は、良好な緯糸跳ね戻り防止性能を容易に付与でき、かつ維持できるという優れた効果を奏する。
【図面の簡単な説明】
【図１】第１の実施の形態を示す側断面図。
【図２】（ａ），（ｂ）は、糸抜け防止具の斜視図。
【図３】第２の実施の形態を示す要部側断面図。
【図４】第３の実施の形態を示す要部側断面図。
【図５】第４の実施の形態を示す要部側断面図。
【図６】第５の実施の形態を示す要部側断面図。
【符号の説明】
１０…緯入れノズル。１２…ノズル本体。１２２…内周面。１４…緯糸案内用ニードル。１４５…緯糸通路１。１４６…外周面。１８…流路としての水路。２０…噴射口。２１，２１Ａ，２１Ｂ，２１Ｃ…糸抜け防止具。２２，２２Ａ…取り付けキャップ。２３，２３Ｃ，２３Ｄ…パイプ。２３１…補助緯糸通路。Ｙ…緯糸。
【図１】
2004270080.tif 000003
【図２】
2004270080.tif 000004
【図３】
2004270080.tif 000005
【図４】
2004270080.tif 000006
【図５】
2004270080.tif 000007
【図６】
2004270080.tif 000008